(57)【要約】      （修正有）【課題】ＳＩＭカードとメモリーカード統合ソケットの提供。【解決手段】第一連結ソケットはＳＩＭカードの挿入に供し、第一ピンはＳＩＭカードの信号ピンとして提供でき、第一連結ソケットの一端にはまた下向きにくぼんだ、少なくとも１つの第二連結ソケットを形成する。第二連結ソケット内には複数の第二ピンを埋設し、第二連結ソケットはメモリーカードの挿入に供し、第二ピンはメモリーカードの信号ピンの連結に供し、固定リングは第一連結ソケット上にセットされ、ＳＩＭカードを固定するか取り外す。キャップは第二連結ソケット周縁に連結され、キャップで固定したり、開いてメモリーカードを外し、キャップはまた第一連結ソケット中のＳＩＭカードと第二連結ソケット中のメモリーカードを隔離するのに提供され、２枚のカードの挿入接続及び隔離を有する統合ソケット構造。【選択図】図１
0003125252.tif 000002
【実用新案登録請求の範囲】
【請求項１】
台座、固定リング及びキャップを含み、台座は内部に第一連結ソケットを設け、その第一連結ソケット内に若干の第一ピンを埋設し、その第一連結ソケットはＳＩＭカードの挿入に供し、各第一ピンと連結し、その第一連結ソケットの一端は下向きにくぼみ、少なくとも１つの第二連結ソケットを形成し、その第二連結ソケット内には若干の第二ピンを埋設し、その第二連結ソケットはメモリーの挿入に供し、各第二ピンと連結し、
固定リングは台座外部にセットされ、台座の第一連結ソケット外部に固定セットされ、  キャップは台座の第二連結ソケット周縁に連結し、キャップで台座の第一連結ソケットと第二連結ソケットを絶縁することを特徴とするＳＩＭカードとメモリーカード統合ソケット。
【請求項２】
当該台座の外部周縁に一対の固定部を設けることを特徴とする請求項１記載のＳＩＭカードとメモリーカード統合ソケット。
【請求項３】
当該固定部に一対の固定突起を設けることを特徴とする請求項２記載のＳＩＭカードとメモリーカード統合ソケット。
【請求項４】
当該台座の第一連結ソケット内に若干の溝槽を設け、その溝槽は各第一ピンの埋設に供することを特徴とする請求項１記載のＳＩＭカードとメモリーカード統合ソケット。
【請求項５】
当該台座の第一連結ソケットの各第一ピンの一端に連接端を形成することを特徴とする請求項１記載のＳＩＭカードとメモリーカード統合ソケット。
【請求項６】
当該台座の第二連結ソケット内に若干の溝槽を設け、その溝槽は各第二ピンの埋設に供することを特徴とする請求項１記載のＳＩＭカードとメモリーカード統合ソケット。
【請求項７】
当該台座の第二連結ソケット内の各第二ピンの一端に連接端を形成することを特徴とする請求項１記載のＳＩＭカードとメモリーカード統合ソケット。
【請求項８】
その中の台座の第二連結ソケット周縁に一対の軸を設けることを特徴とする請求項１記載のＳＩＭカードとメモリーカード統合ソケット。
【請求項９】
当該軸の外側に取り付け穴を設けることを特徴とする請求項８記載のＳＩＭカードとメモリーカード統合ソケット。
【請求項１０】
当該取り付け穴内にロックプレートを取り付けることを特徴とする請求項９記載のＳＩＭカードとメモリーカード統合ソケット。
【請求項１１】
当該固定リング外部に一対の爪部を設け、当該爪部は台座外部に対応させてセットすることを特徴とする請求項１記載のＳＩＭカードとメモリーカード統合ソケット。
【請求項１２】
当該爪部の上に一対の穴を設けることを特徴とする請求項１１記載のＳＩＭカードとメモリーカード統合ソケット。
【請求項１３】
当該キャップの両端にそれぞれ耳を設けることを特徴とする請求項１記載のＳＩＭカードとメモリーカード統合ソケット。
【請求項１４】
当該耳の一端に穴を設けることを特徴とする請求項１３記載のＳＩＭカードとメモリーカード統合ソケット。
【考案の詳細な説明】
【技術分野】
【０００１】
本考案はＳＩＭカードとメモリーカード統合ソケットに関するもので、特にＳＩＭカードとメモリーカードを挿入し、また二種の異なるソケットと絶縁キャップを一体に連結した統合ソケット構造を有するものを指す。
【背景技術】
【０００２】
ＳＩＭカードは携帯電話或いは電子装置のシステムのユーザーＩＤ識別及びデータ保存に広範に使用されている。例えば、携帯電話のユーザー識別データ、システム設定データ及び電話番号簿等とＩＤ識別とデータ保存。しかし、周知のＳＩＭカードが提供できるデータ保存容量は比較的小さく、大量のデータ保存の機能は提供できない。データ保存容量をアップする必要がある場合、携帯電話或いはシステム回路中にメモリーカードソケット或いはメモリーカードを増設する必要があり、携帯電話の製造コストが増加し、携帯電話の体積が大きくなって、携帯電話の産業利用に不利となる。そして操作過程中、当該ＳＩＭカード及びメモリーカードの交換、或いはカード挿入操作は分ける必要があり、カード挿入操作が明らかに複雑で不便であり、また当該ＳＩＭカード及びメモリーカードのデータシステムを統合する時、ＳＩＭカードソケットとメモリーカードソケットが分離されているため、複雑な配線回路を加えて連結する必要があり、さらに配線回路設計のコスト及び、システム統合がたやすくないという欠点及び問題が増加する。
【０００３】
関連する以前の特許案文献については、特許文献１「メモリーカード及びユーザー識別モジュールコネクター」の考案、特許文献２「メモリーカード及びユーザー識別モジュールコネクター」考案及び特許文献３「メモリーカード及びユーザー識別モジュールコネクター」の考案で、ＳＩＭカード及びメモリーカードを連結するソケット構造が提供されている。但し、当該メモリーカード及びユーザー識別モジュールソケットは分かれていて、且つはめ込まれた２つの独立したソケットユニットとされ、ソケット全体の体積、体積換算重量、及びコストが増加するだけでなく、ソケット全体の製造加工上においても明らかに複雑で不便である。
【０００４】
このほか、特許文献４「コネクター及びメモリーカード共用構造」の考案ではＳＩＭカード及びキャッシュメモリーカードの連接ピンを共用する構造を掲示するが、そのＳＩＭカード及びメモリーカードのピン間には隔離措置や構造がなく、そのソケットはＳＩＭカード或いはメモリーカードの一者の挿入接続を提供するだけで、ＳＩＭカードとメモリーカードを同時に挿入接続して使用することができない。
【０００５】
また、特許文献５「メモリーカード及びキャッシュメモリーカードの収容に用いる構造」の考案ではＳＩＭカードとメモリーカードのソケットがソケットの上下端に分かれたものが掲示されている。しかし、同じくそのＳＩＭカードとメモリーカードのソケットは分かれて設置され、またそのソケットの体積及び体積換算重量を増加させ、且つソケット全体の製造組立において明らかに困難さが増し簡単ではない。
【０００６】
【特許文献１】台湾特許公告第Ｍ２７４６７０号明細書
【特許文献２】台湾特許公告第Ｍ２７３８５８号明細書
【特許文献３】台湾特許公告第Ｍ２７３７８２号明細書
【特許文献４】台湾特許公告第Ｍ２６３６４３号明細書
【特許文献５】台湾特許公告第Ｍ２５６６４４号明細書
【考案の開示】
【考案が解決しようとする課題】
【０００７】
本考案の主要目的は、ＳＩＭカードとメモリーカード統合ソケットを提供する事であり、その中に台座を有し、その台座内には第一連結ソケットが設けられ、その第一連結ソケット内には複数の第一ピンが設置されている。その第一連結ソケットの一端は下向きにくぼみ、少なくとも１つの第二連結ソケットを形成し、その第二連結ソケット内には若干の第二ピンが設置され、その第一連結ソケット及び第二連結ソケット内はそれぞれＳＩＭカード及びメモリーカードの挿入連結に供し、ＳＩＭカード及びメモリーカードを同時に挿入し連結使用する効果を達成する。
【０００８】
本考案のもう一つの目的は、ＳＩＭカードとメモリーカード統合ソケットを提供し、その中でその台座内の第二連結ソケット周縁にキャップを連結し、キャップでその第一連結ソケットのＳＩＭカードと第二連結ソケットのメモリーカードを隔離し、ＳＩＭカードとメモリーカードを効果的に電気的に隔離させる。
【０００９】
本考案の更なる目的は、ＳＩＭカードとメモリーカード統合ソケットを提供し、その中でその台座の第一連結ソケットと第二連結ソケットは一体となったソケット構造であり、別に金型を設計したり、分けて組立てる必要がなく、ソケットの体積とコストが縮小できる。
【００１０】
上記の目的を達成するため、本考案のＳＩＭカードとメモリーカード統合ソケットは台座と固定リング、及びキャップを包括する。その中で当該台座には第一連結ソケットが設けられ、当該第一連結ソケット内には複数の第一ピンが埋設されている。当該第一連結ソケットはＳＩＭカードの挿入に供され、その第一ピンはそのＳＩＭカードの信号ピンとして提供する事ができ、且つその第一連結ソケットの一端にはまた、下向きにくぼむ少なくとも１つの第二連結ソケットを形成する。当該第二連結ソケット内には複数の第二ピンが埋設され、当該第二連結ソケットはメモリーカードの挿入に供され、且つ、当該第二ピンはそのメモリーカードの信号ピンの連結に供される。且つ、その固定リングは第一連結ソケット上にセットされ、ＳＩＭカードを固定するか取り外す。当該キャップは、その第二連結ソケットの周縁に連結され、キャップで固定したり、開いてメモリーカードを取り外す。当該キャップはまた、第一連結ソケット中のＳＩＭカードと第二連結ソケット中のメモリーカードの隔離に提供され、これにより、ソケットにＳＩＭカードとメモリーカードを一体に２枚挿入接続し、また電気的隔離の効果を持たせることを達成するものである。
【課題を解決するための手段】
【００１１】
請求項１の考案は、台座、固定リング及びキャップを含み、台座は内部に第一連結ソケットを設け、その第一連結ソケット内に若干の第一ピンを埋設し、その第一連結ソケットはＳＩＭカードの挿入に供し、各第一ピンと連結し、その第一連結ソケットの一端は下向きにくぼみ、少なくとも１つの第二連結ソケットを形成し、その第二連結ソケット内には若干の第二ピンを埋設し、その第二連結ソケットはメモリーの挿入に供し、各第二ピンと連結し、
固定リングは台座外部にセットされ、台座の第一連結ソケット外部に固定セットされ、  キャップは台座の第二連結ソケット周縁に連結し、キャップで台座の第一連結ソケットと第二連結ソケットを絶縁することを特徴とするＳＩＭカードとメモリーカード統合ソケットとしている。
請求項２の考案は、当該台座の外部周縁に一対の固定部を設けることを特徴とする請求項１記載のＳＩＭカードとメモリーカード統合ソケットとしている。
請求項３の考案は、当該固定部に一対の固定突起を設けることを特徴とする請求項２記載のＳＩＭカードとメモリーカード統合ソケットとしている。
請求項４の考案は、当該台座の第一連結ソケット内に若干の溝槽を設け、その溝槽は各第一ピンの埋設に供することを特徴とする請求項１記載のＳＩＭカードとメモリーカード統合ソケットとしている。
請求項５の考案は、当該台座の第一連結ソケットの各第一ピンの一端に連接端を形成することを特徴とする請求項１記載のＳＩＭカードとメモリーカード統合ソケットとしている。
請求項６の考案は、当該台座の第二連結ソケット内に若干の溝槽を設け、その溝槽は各第二ピンの埋設に供することを特徴とする請求項１記載のＳＩＭカードとメモリーカード統合ソケットとしている。
請求項７の考案は、当該台座の第二連結ソケット内の各第二ピンの一端に連接端を形成することを特徴とする請求項１記載のＳＩＭカードとメモリーカード統合ソケットとしている。
請求項８の考案は、その中の台座の第二連結ソケット周縁に一対の軸を設けることを特徴とする請求項１記載のＳＩＭカードとメモリーカード統合ソケットとしている。
請求項９の考案は、当該軸の外側に取り付け穴を設けることを特徴とする請求項８記載のＳＩＭカードとメモリーカード統合ソケットとしている。
請求項１０の考案は、当該取り付け穴内にロックプレートを取り付けることを特徴とする請求項９記載のＳＩＭカードとメモリーカード統合ソケットとしている。
請求項１１の考案は、当該固定リング外部に一対の爪部を設け、当該爪部は台座外部に対応させてセットすることを特徴とする請求項１記載のＳＩＭカードとメモリーカード統合ソケットとしている。
請求項１２の考案は、当該爪部の上に一対の穴を設けることを特徴とする請求項１１記載のＳＩＭカードとメモリーカード統合ソケットとしている。
請求項１３の考案は、当該キャップの両端にそれぞれ耳を設けることを特徴とする請求項１記載のＳＩＭカードとメモリーカード統合ソケットとしている。
請求項１４の考案は、当該耳の一端に穴を設けることを特徴とする請求項１３記載のＳＩＭカードとメモリーカード統合ソケットとしている。
【考案の効果】
【００１２】
本考案はＳＩＭカードとメモリーカード統合ソケットを提供する事であり、その中に台座を有し、その台座内には第一連結ソケットが設けられ、その第一連結ソケット内には複数の第一ピンが設置されている。その第一連結ソケットの一端は下向きにくぼみ、少なくとも１つの第二連結ソケットを形成し、その第二連結ソケット内には若干の第二ピンが設置され、その第一連結ソケット及び第二連結ソケット内はそれぞれＳＩＭカード及びメモリーカードの挿入連結に供し、ＳＩＭカード及びメモリーカードを同時に挿入し連結使用する効果を達成する。
【００１３】
その中でその台座内の第二連結ソケット周縁にキャップを連結し、キャップでその第一連結ソケットのＳＩＭカードと第二連結ソケットのメモリーカードを隔離し、ＳＩＭカードとメモリーカードを効果的に電気的に隔離させる。
【００１４】
ＳＩＭカードとメモリーカード統合ソケットを提供し、その中でその台座内の第二連結ソケット周縁にキャップを連結し、キャップでその第一連結ソケットのＳＩＭカードと第二連結ソケットのメモリーカードを隔離し、ＳＩＭカードとメモリーカードを効果的に電気的に隔離させる。
【００１５】
その中でその台座の第一連結ソケットと第二連結ソケットは一体となったソケット構造であり、別に金型を設計したり、分けて組立てる必要がなく、ソケットの体積とコストが縮小できる。
【考案を実施するための最良の形態】
【００１６】
まず図１と図２を参照する事。それは本考案のＳＩＭカードとメモリーカード統合ソケット１００の第一実施例を示し、当該統合ソケット１００は台座１０、固定リング２０及びキャップ３０を包括する。その中の台座１０の外部周縁には固定部１１を設け、その固定部１１内には少なくとも一対の固定突起１１１を設ける。当該台座１０内には第一連結ソケット１２を設け、その第一連結ソケット１２内にはまた若干の溝槽１２１が設置されている。その溝槽１２１内にはそれぞれ第一ピン１２２及び１２３が埋設され、その第一ピン１２２及び１２３の一端にはまた連接端１２２Ａ及び１２３Ａが形成され、台座１０の外へ突出し、且つその第一ピン１２２及び１２３はＳＩＭカード２００のピン２１０に対応する電気ピンとする。
【００１７】
上記の台座１０の第一連結ソケット１１の一端は下向きにくぼみ、少なくとも１つの第二連結ソケット１３を形成し、その第二連結ソケット１３内には若干の溝槽１３１が設けられ、その溝槽１３１にはそれぞれ第二ピン１３２が埋設されている。その第二ピン１３２の一端には連接端１３２Ａが形成され、その連接端１３２Ａは台座１０の外へ突出し、且つその第二ピン１３２はメモリーカード３００のピン３１０と対応する電気ピンとする。その第二連結ソケット１３の内壁周縁には少なくとも一対の軸１３３及び１３４が設けられている。
【００１８】
上記の固定リング２０は両側にそれぞれ一対の爪部２１及び２２を設置し、その爪部２１及び２２の表面には少なくとも一対の穴２１１及び２２１を設ける。当該固定リング２０はその爪部２１及び２２で当該台座１０外部の固定部１１と対応してとめられ、同時に当該穴２１１及び２２１で当該固定突起１１１に対応してとめられ、当該固定リング２０を第一連結ソケット１２の外部にセットさせる。
【００１９】
上記のキャップ３０の両側にはそれぞれ耳３１及び３２を設け、その耳３１及び３２の一端にはそれぞれ穴３１１及び３２１が設けられ、当該穴３１１及び３２１が台座１０の第二連結ソケット１３周縁の軸１３３及び１３４と対応してはめられることで、当該キャップ３０をその台座１０の第二連結ソケット１３周縁に連接し、キャップ３０でその第二連結ソケット１３を開けたり閉じたりさせる。またそのキャップ３０は第一連結ソケット１２及び第二連結ソケット１３間の電気的絶縁作用を提供する。
【００２０】
さらに配合する図３は、本考案の統合ソケット１００の第二実施例を示す。その中で、当該台座１０の第一連結ソケット１２の某第一ピン１２２、１２３と第二連結ソケット１３の某第二ピン１３２は相互に連結し、その第一ピン１２２、１２３と某第二ピン１３２間の電気信号とデータを互いに連通させる。且つその第二連結ソケット１３の軸１３４の外側に取り付け穴１３４Ａを設け、その取り付け穴１３４Ａ内にロックプレート１３５を取り付けて、そのキャップ３０の耳３１及び３２を軸１３３及び１３４上に連結させる時、規定位置に固定することができ、当該キャップ３０がふらついて揺れないようにする。
【００２１】
さらに図４は本考案の統合ソケット１００の好ましい実施例を示し、その中で、携帯電話のマザーボード４００に応用された状態を表示する。当該台座１０の第二連結ソケット１３はメモリーカード３００の挿入連結に供し、また各第二ピン１３２の一つ一つをメモリーカード３００の各ピン３１０と対応させて連結させる。また第二ピン１３２の一端の連接端１３２Ａを携帯電話のマザーボード４００上にはんだ付けに提供することで、メモリーカード３００と携帯電話のマザーボード４００の配線回路を電気的に連結させる。その第二連結ソケット１３はまたそのキャップ３０が閉じる事により、メモリーカード３００とその第一連結ソケット１２間に電気的絶縁を形成する。
【００２２】
上記の図４中の台座１０内の第一連結ソケット１２はそのＳＩＭカード２００の挿入連結に供され、また各第一ピン１２２とＳＩＭカード２００のピン２１０一つずつを対応させて連結させるとともに、その第一ピン１２２の一端の連接端１２２Ａをその携帯電話のマザーボード４００上にはんだ付けで連結することで、ＳＩＭカード２００の各ピン２１０を携帯電話のマザーボード４００の配線回路と電気的な連結を形成させ、またその固定リング２０がＳＩＭカード２００を第一連結ソケット１２上にセット固定することで、ＳＩＭカードを第一連結ソケット１２中に堅固に固定することができる。
【図面の簡単な説明】
【００２３】
【図１】本考案の第一実施例の立体外観構造図である。
【図２】図１の立体分解構造図である。
【図３】本考案の第二実施例の図である。
【図４】本考案の好ましい応用例の図である。
【符号の説明】
【００２４】
１０  台座
１００  統合ソケット
１１  固定部
１１１  固定突起
１２  第一連結ソケット
１２１  溝槽
１２２、１２３  第一ピン
１２２Ａ、１２３Ａ、１３２Ａ  連接端
１３  第二連結ソケット
１３１  溝槽
１３２  第二ピン
１３３、１３４  軸
１３４  軸
１３４Ａ  取り付け穴
２０  固定リング
２１、２２  爪部
２１１、２２１  穴
３０  キャップ
３１、３２  耳
３１１、３２１  穴
２００  ＳＩＭカード
２１０、３１０  ピン
３００  メモリーカード
４００  携帯電話マザーボード
【図１】
0003125252.tif 000003
【図２】
0003125252.tif 000004
【図３】
0003125252.tif 000005
【図４】
0003125252.tif 000006